(57)【特許請求の範囲】
【請求項１】
長手方向及び横断方向を有する吸収性物品であって、前側弾性ベルト、後側弾性ベルト、股部領域、腰部開口部、及び一対の脚部開口部を備え、前記股部領域が、前記前側弾性ベルトと前記後側弾性ベルトとの間で長手方向に延在しており、
前記吸収性物品が、前記股部領域の長手方向寸法全体に延在し、且つ前記前側弾性ベルト内及び前記後側弾性ベルト内のそれぞれに部分的に更に延在する吸収性本体を備え、前記吸収性本体が、液体透過性トップシートと、液体不透過性バックシートと、それらの間に挟まれた吸収性材料領域と、を備え、
前記前側弾性ベルトの横方向縁部の全長が、一対のサイドシームを画定するように、前記後側弾性ベルトの横方向縁部の所定の長さと継ぎ合わされ、前記サイドシームがシーム長ＬＳを有し、
前記後側弾性ベルトが、前記横断方向に広がる複数のゾーンに分割され、前記シーム長ＬＳの割合に対して遠位縁部から近位縁部までのその位置によって画定され、前記遠位縁部が０％であるとみなされ、前記近位縁部が１００％であるとみなされ、ＬＳの約２５％から約６０％の位置内に腰部ガード部分が配置され、前記腰部ガード部分が、閉鎖ベースラインから開放縁部に向かって前記股部領域に向かって延在し、前記腰部ガード部分が、前記後側弾性ベルトの残部に部分的に結合されてポケットを画定し、前記ポケットの領域が実質的に前記バックシートと重なり、
前記腰部ガード部分が、約４０ｍｍ以下の長手方向寸法を有する腰部ガード弾性部分を備え、前記腰部ガード弾性部分と重なる前記後側弾性ベルトの残部が、相関部分で画定され、前記腰部ガード弾性部分の引張応力が、前記相関部分の引張応力よりも高い、吸収性物品。
【請求項２】
前記腰部ガード弾性部分の引張応力が、前記相関部分の引張応力よりも少なくとも約２５％高い、請求項１に記載の吸収性物品。
【請求項３】
前記相関部分上に配置された弾性部材が弾性カットウィンドウを備える、請求項１又は２に記載の吸収性物品。
【請求項４】
前記後側弾性ベルトが、３つのゾーンに分割され、前記腰部ガード部分の前記遠位縁部までの０％が後側腰部ゾーンであり、前記腰部ガード部分の前記近位縁部までの遠位縁部が保護ゾーンであり、１００％までの前記腰部ガード部分の前記近位縁部が臀部ゾーンであり、前記保護ゾーンの引張応力が、前記後側腰部ゾーン、又は前記臀部ゾーンのいずれかの引張応力よりも高い、請求項１〜３のいずれかに記載の吸収性物品。
【請求項５】
弾性部材が、前記後側腰部ゾーン、前記腰部ガード部分以外の前記保護ゾーン、及び前記臀部ゾーンのそれぞれに配置されている、請求項４に記載の吸収性物品。
【請求項６】
前記吸収性本体が、前記長手方向に延在する双方の横方向縁部に沿って配置された一対の脚部カフを備え、前記脚部カフが、前記開放縁部において活性弾性である、請求項４に記載の吸収性物品。
【請求項７】
前記ポケットの前記領域の少なくとも約３％が、前記吸収性材料領域と重なっている、請求項１〜６のいずれかに記載の吸収性物品。
【請求項８】
前記腰部ガード弾性部分が、複数の弾性ストランドを配置することによって伸縮性を有し、１つの弾性ストランドが、前記開放縁部から約２ｍｍから約５ｍｍ以上離れて配置されている、請求項４〜６のいずれかに記載の吸収性物品。
【請求項９】
前記腰部ガード弾性部分の前記複数の弾性ストランドが、約１２ｍｍ以下のピッチで配置されている、請求項８に記載の吸収性物品。
【請求項１０】
前記腰部ガード弾性部分の前記弾性ストランドの少なくとも２つが、前記物品の身体に面する側から可視である色を有する、請求項８又は９に記載の吸収性物品。
【請求項１１】
前記後側腰部ゾーンが、前記腰部ガード弾性部分の色づけされた前記弾性ストランドと同じ又は類似の色の弾性ストランドから配置されている、請求項１０に記載の吸収性物品。
【請求項１２】
前記閉鎖ベースラインと前記開放縁部との間の最短距離として画定される前記ポケットの長手方向寸法が、約２０ｍｍから約４５ｍｍである、請求項１〜１１のいずれかに記載の吸収性物品。
【請求項１３】
前記腰部ガード弾性部分、前記相関部分、及びそれらの間に挟まれた前記吸収性本体の部分の合計厚さが、約５ｍｍ以下である、請求項１〜１２のいずれかに記載の吸収性物品。
【請求項１４】
前記吸収性本体が捕捉システムを更に備え、前記捕捉システムが前記ポケットと重なっていない、請求項１３に記載の吸収性物品。
【請求項１５】
前記後側弾性ベルトの任意の部分が、６層未満の基材から作製されている、請求項１〜１４のいずれかに記載の吸収性物品。
【請求項１６】
前記腰部開口部と前記吸収性本体の前記長手方向縁部との間の距離が、前側よりも後側において短い、請求項１〜１５のいずれかに記載の吸収性物品。
【請求項１７】
前記前側弾性ベルトが、前記横断方向に広がる４つのゾーンに分割され、前記シーム長ＬＳの割合に対して前記遠位縁部から前記近位縁部までのその位置によって画定され、前記遠位縁部が０％であるとみなされ、前記近位縁部が１００％であるとみなされ、０〜２５％が前側腰部ゾーンであり、２５〜５０％が遠位腹部ゾーンであり、５０〜８５％が近位腹部ゾーンであり、８５〜１００％が脚部ゾーンであり、前側近位腹部ゾーンが、前記前側弾性ベルトの他のゾーンと比較して最も高い引張応力を有する、請求項１〜１６のいずれかに記載の吸収性物品。
【請求項１８】
前記後側弾性ベルトの衣類に面する面に取り付けられた廃棄テープを有する、請求項１〜１７のいずれかに記載の吸収性物品。
【請求項１９】
本明細書の全物品力測定法による腰部周囲力が約９Ｎ以下である、請求項１〜１８のいずれかに記載の吸収性物品。
【請求項２０】
前記後側弾性ベルトが、外側シート、内側シート、及び複数の弾性ストランドによって形成され、前記外側シートが複数の開口を含む、請求項１〜１９のいずれかに記載の吸収性物品。
【請求項２１】
前記吸収性本体が、衣類に面する面に外側カバー層を備え、前記外側カバー層が複数の開口を含む、請求項１〜２０のいずれかに記載の吸収性物品。
【請求項２２】
長手方向及び横断方向を有する吸収性物品であって、前側弾性ベルト、後側弾性ベルト、股部領域、腰部開口部、及び一対の脚部開口部を備え、前記股部領域が、前記前側弾性ベルトと前記後側弾性ベルトとの間で長手方向に延在しており、
前記吸収性物品が、前記股部領域の長手方向寸法全体に延在し、且つ前記前側弾性ベルト内及び前記後側弾性ベルト内のそれぞれに部分的に更に延在する吸収性本体を備え、前記吸収性本体が、液体透過性トップシートと、液体不透過性バックシートと、それらの間に挟まれた吸収性材料領域と、を備え、
前記前側弾性ベルトの横方向縁部の全長が、一対のサイドシームを画定するように、前記後側弾性ベルトの横方向縁部の所定の長さと継ぎ合わされ、前記サイドシームがシーム長ＬＳを有し、
前記前側弾性ベルトが、前記横断方向に広がる複数のゾーンに分割され、前記シーム長ＬＳの割合に対して遠位縁部から近位縁部までのその位置によって画定され、前記遠位縁部が０％であるとみなされ、前記近位縁部が１００％であるとみなされ、ＬＳの約２５％から約６０％の位置内に腰部ガード部分が配置され、前記腰部ガード部分が、閉鎖ベースラインから開放縁部に向かって前記股部領域に向かって延在し、前記腰部ガード部分が、前記前側弾性ベルトの残部に部分的に結合されてポケットを画定し、前記ポケットの領域が実質的に前記バックシートと重なり、
前記腰部ガード部分が、約４０ｍｍ以下の長手方向寸法を有する腰部ガード弾性部分を備え、前記腰部ガード弾性部分と重なる前記前側弾性ベルトの残部が、相関部分で画定され、前記腰部ガード弾性部分の引張応力が、前記相関部分の引張応力よりも高い、吸収性物品。
【請求項２３】
前記腰部ガード弾性部分の引張応力が、前記相関部分の引張応力よりも少なくとも約２５％高い、請求項２２に記載の吸収性物品。
【請求項２４】
前記相関部分上に配置された弾性部材のうちの少なくとも１つが弾性カットウィンドウを備える、請求項２２又は２３に記載の吸収性物品。
【請求項２５】
前記ポケットの前記領域の少なくとも約３％が、前記吸収性材料領域と重なっている、請求項２２〜２４のいずれかに記載の吸収性物品。
【請求項２６】
前記腰部ガード弾性部分が、複数の弾性ストランドを配置することによって伸縮性を有し、１つの弾性ストランドが、前記開放縁部から約２ｍｍから約５ｍｍ以上離れて配置されている、請求項２２〜２５のいずれかに記載の吸収性物品。
【請求項２７】
前記腰部ガード弾性部分の前記複数の弾性ストランドが、約１２ｍｍ以下のピッチで配置されている、請求項２６に記載の吸収性物品。
【請求項２８】
本明細書の全物品力測定法による腰部周囲力が約９Ｎ以下である、請求項２２〜２７のいずれかに記載の吸収性物品。
【請求項２９】
前側弾性ベルト、後側弾性ベルト、及び吸収性本体によって組み立てられた吸収性物品の製造方法であって、
前記方法が、前記前側弾性ベルト及び前記後側弾性ベルトのうちの少なくとも１つを前記吸収性本体に結合することを備え、前記結合することが、
内面及び反対側の外面を有する連続シートの第１の層を機械方向に前進させ、交差機械方向において幅を画定するステップと、
内面及び反対側の外面を有し且つ前記連続シートの第１の層よりも小さい幅を有する連続シートの第２の層を前記機械方向に前進させるステップと、
複数の第１の弾性部材を延伸状態で前記機械方向に前進させるステップと、
前記第１の層の幅縁部を第１の腰部折り畳み点において前記機械方向に沿って折り畳み、第１の腰部折り目を形成するステップと、
前記第１の弾性部材を前記第１の層の前記内面と前記第１の腰部折り目との間に結合して、腰部ガード前駆体を形成するステップと、
複数の第２の弾性部材を延伸状態で前記機械方向に前進させるステップと、
前記第２の弾性部材を前記第１の層の前記内面に結合するステップと、
前記第２の弾性部材を挟むために、前記第２の層の前記内面を前記第１の層の前記内面に結合するステップと、
前記吸収性本体を前記第２の層の前記外面に結合するステップと、
このようにして得られたアセンブリを、前記腰部ガード前駆体と前記第２の層の幅縁部との間の第２の腰部折り畳み点において前記機械方向に沿って折り畳み、第２の腰部折り目を形成するステップであって、前記吸収性本体の一部が、前記第２の腰部折り目の近位縁部と前記第２の層の前記外面との間に挟まれる、第２の腰部折り目を形成するステップと、
前記第１の腰部折り目の所定の部分及び前記第２の腰部折り目の所定の部分を、それが面する前記アセンブリの残部に結合するステップであって、結合されていないままの前記第１の腰部折り目及び前記第２の腰部折り目の衣類に面する面がポケットを形成するステップと、を備える、方法。
【請求項３０】
前記前側弾性ベルト及び前記後側弾性ベルトが、９４０ｄｔｅｘ以下の密度を有する、合計で約４０個未満の弾性ストランドによって伸縮性を有する、請求項２９に記載の方法。
【請求項３１】
前記前側弾性ベルト及び前記後側弾性ベルト上に、等しい数の弾性ストランドが配置されている、請求項３０に記載の方法。
【請求項３２】
前記弾性ストランドが、連続シートの前記第１の層及び／又は連続シートの前記第２の層に断続的に結合される、請求項３０又は３１に記載の方法。
【発明の詳細な説明】
【技術分野】
【０００１】
本発明は、低粘度の身体排泄物の漏れを防止する保護手段を有するとともに、パンツ型着用可能物品として他の機能も維持するパンツ型吸収性物品に関する。本発明はまた、このようなパンツ型吸収性物品の製造方法にも関する。
【背景技術】
【０００２】
乳幼児、及びその他の個人は、尿及びその他の身体排泄物を受容及び収容するおむつなどの吸収性物品を着用する。国際公開第２００６／１７７１８（Ａ）号に記載されるようなプルオン型吸収性物品、又はパンツ型吸収性物品は、着用者の両脚を脚部開口部に挿入し、物品を下部胴体周囲の位置まで上方に滑らせることにより着用される物品である。パンツ型吸収性物品は、腰部開口部及び脚部開口部の周りに柔らかいフィット性を必要とするより若い乳児にとって人気が高まっている。パンツ型吸収性物品はまた、月経期間中に、過多出血を有する又は一晩の使用を有する女性にとっても人気が高まっている。パンツ型物品に望ましい１つの機能は、腰部開口部を介した低粘度の身体排泄物の漏れを防止するための保護手段である。通気性又は他の目的のために腰部開口部の周囲に材料が少ないパンツ型物品は、特に着用者が背中又は腹部に位置するときに、腰部開口部からの漏れのリスクを有することがある。
【０００３】
パンツ型物品は、着用者又は介護者が物品を展開し、物品を着用するために着用者の脚を脚部開口部内に挿入するのを容易にするのに十分な弾性を腰部開口部の周囲及びその付近に有する、種々の構造をとることができる。したがって、パンツ型物品は、物品の構造上の制限に基づいて、非常に小さいサイズ調整又は身体構成調整の範囲のみを提供する。そのため、パンツ型物品は、典型的には、弛み及び漏れに対する十分な保護が提供され得るように、弾性ベルト領域の伸縮性が高く且つ着用するのに快適であるが、依然として信頼性の高いフィット性を有することにより、サイズ及び構成範囲に適応するように構成される。弾性ベルト領域のそのような基本的な機能は、前述の保護手段の導入によっても維持され得ることが望ましい。
【先行技術文献】
【特許文献】
【０００４】
【特許文献１】国際公開第２００６／１７７１８（Ａ）号
【発明の概要】
【発明が解決しようとする課題】
【０００５】
上記に基づいて、適用を容易にするための良好な伸縮性、弛みを防止するための良好なフィット性、良好な快適性及び柔軟性、並びに良好な通気性を維持しながら、腰部開口部からの低粘度の身体排泄物の漏れを防止するための保護手段を備えた吸収性物品の必要性が存在する。経済的に作製されることができるそのような吸収性物品を提供する必要性も存在する。
【課題を解決するための手段】
【０００６】
本発明は、長手方向及び横断方向に連続的な吸収性物品であって、前側弾性ベルト、後側弾性ベルト、股部領域、腰部開口部、及び一対の脚部開口部を含み、股部領域が、前側弾性ベルトと後側弾性ベルトとの間で長手方向に延在しており、
吸収性物品が、股部領域の長手方向寸法全体に延在し、且つ前側弾性ベルト内及び後側弾性ベルト内のそれぞれに部分的に更に延在する吸収性本体を備え、吸収性本体が、液体透過性トップシートと、液体不透過性バックシートと、それらの間に挟まれた吸収性材料領域と、を備え、
前側弾性ベルトの横方向縁部の全長が、一対のサイドシームを画定するように、後側弾性ベルトの横方向縁部の所定の長さと継ぎ合わされ、サイドシームがシーム長ＬＳを有し、
前側弾性ベルト及び／又は後側弾性ベルトが、横断方向に広がる複数のゾーンに分割され、シーム長ＬＳの割合に対して遠位縁部から近位縁部までのその位置によって画定され、遠位縁部が０％であるとみなされ、近位縁部が１００％であるとみなされ、ＬＳの約２５％から約６０％の位置内に腰部ガード部分が配置され、腰部ガード部分が、閉鎖ベースラインから開放縁部に向かって股部領域に向かって延在し、腰部ガード部分が、腰部ガード部分を備える前側弾性ベルト及び／又は後側弾性ベルトの残部に部分的に結合されてポケットを画定し、ポケットの領域が実質的にバックシートと重なり、
腰部ガード部分が、約４０ｍｍ以下の長手方向寸法を有する腰部ガード部分を備え、腰部ガード弾性部分を備え且つ腰部ガード弾性部分と重なる前側弾性ベルト及び／又は後側弾性ベルトの残部が、相関部分で画定され、腰部ガード弾性部分の引張応力が、相関部分の引張応力よりも高い、吸収性物品を目的とする。
【０００７】
本発明はまた、上述した物品の製造方法を目的とする。
【図面の簡単な説明】
【０００８】
本明細書の末尾には、本発明を構成するものとみなされる主題を具体的に特定し且つ個別に特許請求する特許請求の範囲が添付されているが、本発明は、実質的に同一の要素が同様の符号を用いて指定されている添付の図面と以下の説明文を併せ読むことで、より良く理解されるものと考えられる。
【図１】本発明の吸収性物品の一実施形態の、斜視図である。
【図２Ａ】シームが接合されておらず、平らな非収縮状態で衣類に面する表面を示す、本発明にかかる吸収性物品の一実施形態の概略平面図である。
【図２Ｂ】シームが接合されておらず、平らな非収縮状態で衣類に面する表面を示す、本発明にかかる吸収性物品の１つのベルト実施形態の概略平面図である。
【図２Ｃ】シームが接合されておらず、平らな非収縮状態で衣類に面する表面を示す、本発明にかかる吸収性物品の１つのベルト実施形態の概略平面図である。
【図３Ａ】厚さ寸法が誇張された、線Ｌ２に沿って取られた図２Ａ〜２Ｃの実施形態を作製するための前駆体の概略断面図である。
【図３Ｂ】厚さ寸法が誇張された、線Ｌ２に沿って取られた図２Ａ〜２Ｃの実施形態を作製するための前駆体の概略断面図である。
【図３Ｃ】厚さ寸法が誇張された、線Ｌ２に沿って取られた図２Ａ〜２Ｃの実施形態を作製するための前駆体の概略断面図である。
【図３Ｄ】厚さ寸法が誇張された、図２Ａ〜２Ｃの実施形態の概略断面図である。
【図４】マネキンに着用した本発明の吸収性物品の一実施形態の側面図である。
【図５】本発明のプロセスの概略図である。
【図６】本発明の折り畳みステップの概略図である。
【図７Ａ】本発明のプロセスのための結合モジュールの概略図である。
【図７Ｂ】本発明のプロセスのための結合モジュールの概略図である。
【図７Ｃ】本発明のプロセスのための結合モジュールの概略図である。
【図８】本明細書における「全物品力測定法」による、ハンガー型の試料保持固定具の例の概略図である。
【０００９】
定義
本明細書で使用する場合、以下の用語は後に指定される意味を有するものとする。
「吸収性物品」とは、尿、大便、及び経血など、身体から排出される様々な排泄物を吸収して収容するようにも構成された、パンツ、テープ式おむつ、失禁者用ブリーフ、女性の生理用衣類などの形態であり得る着用物品を指す。「吸収性物品」は、国際公開第２０１１／０８７５０３（Ａ）号に開示されているものなど、吸収及び収容機能を提供するための分離可能な使い捨ての吸収性インサートと接合されるように適合可能である、外側カバーとしての役割を果たし得る。
【００１０】
「パンツ」とは、予め形成された腰部及び脚部開口部を有する使い捨て吸収性物品を意味する。パンツは、着用者の両脚を脚部開口部に挿入し、着用者の下部胴体の周囲の位置までパンツを滑らせることにより着用され得る。パンツは、通常、「閉じられたおむつ」、「予め締結されたおむつ」、「プルオンおむつ」、「トレーニングパンツ」、及び「おむつパンツ」とも呼ばれる。
【００１１】
「長手方向」とは、物品の腰部縁部から反対側の腰部縁部まで実質的に垂直に、及び物品の最大直線寸法に一般に平行に延びる方向を指す。
【００１２】
「横方向」とは、長手方向と垂直な方向を指す。
【００１３】
「近位」及び「遠位」とはそれぞれ、物品の長手方向中心に対してより近い又はより遠い位置を意味する。
【００１４】
「身体に面する」及び「衣類に面する」とは、それぞれ、要素、又は要素の表面、又は要素の群の相対位置を意味する。「身体に面する」とは、要素又は表面が、何らかのその他の要素又は表面よりも、着用中に着用者により近いことを意味する。「衣類に面する」とは、要素又は表面が、何らかのその他の要素又は表面よりも、着用中に着用者からより遠く離れている（即ち、要素又は表面が、使い捨て吸収性物品の上に着用され得る着用者の衣類に対して近位にある）ことを意味する。
【００１５】
「配置される」とは、要素が、ある特定の場所又は位置に置かれていることを意味する。
【００１６】
「接合された」とは、１つの要素をその他の要素に直接付着させることにより、その要素がその他の要素に直接貼り付けられている構成、及び要素を中間部材（複数）に付着させ、その中間部材（複数）が更にその他の要素に貼り付けられていることにより、その要素がその他の要素に間接的に貼り付けられている構成を意味する。
【００１７】
「フィルム」とは、材料の長さ及び幅が材料の厚さを大きく上回るシート状材料を意味する。典型的には、フィルムは約０．５ｍｍ以下の厚さを有する。
【００１８】
「透水性」及び「不透水性」とは、使い捨て吸収性物品の所期の使用の状況における、材料の浸透性を意味する。具体的には、用語「透水性」とは、層又は層構造体が、押し圧がない状態で、液体の水、尿、又は合成尿が層又は層構造体の厚さを通過可能な、孔、開口部、及び／又は相互に接続された空隙を有していることを意味する。反対に、用語「不透水性」は、層又は層構造体が、（重力などの自然の力の他に）押し圧がない状態では、液体の水、尿、又は合成尿が層又は層構造体の厚さを通過できないことを意味する。この定義による不透水性の層又は層状構造は、水蒸気に対して透過性であってよい、即ち、「蒸気透過性」であってよい。
【００１９】
「延伸性」及び「延伸可能な」とは、弛緩状態における構成要素の幅又は長さを延伸又は増大させることができることを意味する。
【００２０】
「伸縮性がある」又は「伸縮性を持たせた」とは、構成要素が弾性材から作製された少なくとも一部分を含むことを意味する。
【００２１】
「伸長性材料」、「延伸性材料」、又は「伸縮性材料」は互換的に使用され、付勢力を加えると、破裂又は破断することなく、ＥＤＡＮＡ法２０．２−８９で測定して弛緩した元の長さの少なくとも約１１０％の伸長した長さまで延伸でき（即ち、元の長さよりも１０％長く延伸でき）、加えた力を除くと、完全に破裂又は破断することなく、その伸長の約２０％未満というわずかな回復を示す材料を意味する。そのような伸長性材料が、加えた力を解放した際に、その伸長量の少なくとも４０％回復する場合、その伸長性材料は、「弾性」又は「エラストマー性」であるとみなされる。例えば、１００ｍｍの初期長さを有する弾性材料は、少なくとも１５０ｍｍまで延伸することができ、力を取り除くと少なくとも１３０ｍｍの長さまで収縮する（即ち、４０％の回復を示す）。加えた力を解放した際に、材料の回復が、その伸長量の４０％未満である場合、その伸長性材料は、「実質的に非弾性」又は「実質的に非エラストマー性」であるとみなされる。例えば、１００ｍｍの初期長さを有する伸長性材料は、少なくとも１５０ｍｍまで延伸することができ、力を取り除くと少なくとも１４５ｍｍの長さまで収縮する（即ち、１０％の回復を示す）。
【００２２】
物品の「寸法」、「長さ」、「幅」、「ピッチ」、「直径」、「アスペクト比」、「角度」、及び「面積」は、全て、特に指定されない限り、本明細書における「全物品力測定法」に従って物品が完全伸張時周長Ｗ１まで延伸された状態で、定規又はルーペを利用して測定される。
【００２３】
「アートワーク」は、印刷又は他の方法で提供され、色を有する、裸眼への視覚的表示を意味する。印刷は、リソグラフィ、スクリーン印刷、フレキソ印刷、及びグラビアインクジェット印刷技術などの、当業者に周知の種々の方法及び装置を含む。
【００２４】
本明細書において、「色」又は「色づけ」という用語は、白色以外のいずれかの原色、即ち、黒色、赤色、青色、紫色、オレンジ色、黄色、緑色、及びインディゴ色、並びにそれらの淡色又は混合色のいずれかを含み得る。白色は、ＣＩＥ  Ｌ＊ａ＊ｂ＊表色系に従って、少なくとも９４のＬ＊値、０±２に等しいａ＊値、及び０±２に等しいｂ＊値を有する色として、定義される。
【発明を実施するための形態】
【００２５】
図１は、本発明の吸収性物品（２０）の斜視図であり、図２Ａは、シームが接合されておらず、平らな非収縮状態で衣類に面する表面を示す吸収性物品の概略平面図である。吸収性物品（２０）は、長手方向軸線としての役割も果たす長手方向中心線Ｌ１と、横方向軸線としての役割も果たす横方向中心線Ｔ１と、を有する。吸収性物品（２０）は、身体に面する表面、衣類に面する表面、前側弾性ベルト（８４）、後側弾性ベルト（８６）、股部領域（３０）、及び前側弾性ベルト（８４）と後側弾性ベルト（８６）とを接合して、２つの脚部開口部及び腰部開口部を形成するサイドシーム（３２）を有する。
【００２６】
吸収性物品（２０）は、着用者の股部領域（３０）を覆う吸収性本体（３８）と、前側弾性ベルト（８４）及び後側弾性ベルト（８６）（以下、「前側及び後側弾性ベルト」と称されることがある）とを備える図１及び図２Ａ〜２Ｃのようなベルト型パンツとすることができ、前側及び後側弾性ベルト（８４、８６）は、横断方向に延在して腰部開口部を画定する別個の環状弾性ベルト（４０）を形成する。ベルト型パンツの場合、別個の環状弾性ベルト（４０）はまた、弾性ベルト（４０）と称されることがある。図１及び図２Ａ〜２Ｃのようなベルト型パンツの場合、前側及び後側弾性ベルト（８４、８６）、並びに吸収性本体（３８）は、一体となって脚部開口部を画定する。ベルト型パンツの場合、前側弾性ベルト（８４）は、前側領域（２６）であり、後側弾性ベルト（８６）は、後側領域（２８）であり、残部は、股部領域（３０）である。図示されていないが、吸収性物品（２０）は、吸収性本体（３８）の外側カバー層及び弾性ベルト（４０）の衣類に面する層が共通であるように構成された一体型パンツとすることができる。一体型パンツの場合、サイドシーム（３２）の間で横断方向に延在する部分は、それぞれ、前側領域（２６）及び後側領域（２８）とみなされ、残部は、股部領域（３０）である。一体型パンツの場合、前側領域（２６）は、前側弾性ベルト（８４）とみなされ、後側領域（２８）は、後側弾性ベルト（８６）とみなされる。
【００２７】
吸収性本体（３８）は、トップシート、バックシート、及びトップシートとバックシートとの間に配置される吸収性材料領域（６２）を備える。吸収性本体（３８）は、バックシートの衣類に面する面を覆うための外側カバー層（４２）を更に備えてよい。トップシートは、透水性基材であってよい。バックシートは、不透水性フィルムであってよい。外側カバー層（４２）は、不織布シートであってよい。吸収性本体（３８）は、吸収性本体（３８）上に配置された身体排泄物を吸収及び収容するための吸収性材料領域（６２）と、吸収性材料領域（６２）の周辺部を囲む吸収性材料非存在領域（６１）とを備える。吸収性本体（３８）の前側及び後側長手方向端縁部に隣接する領域は、バックシートを備える。吸収性材料非存在領域（６１）は、トップシート及び／又はバックシート及び／又は外側カバー層（４２）及び／又は吸収性本体（３８）を構成するその他の部分から作製されることができる。図２Ａ−２Ｃに示す実施形態では、吸収性本体（３８）は、左右長手方向に延在する側縁部（４８）及び前後横断方向に延在する端縁部（５０）を有する、概ね矩形の形状を有する。吸収性材料領域（６２）は、股部領域の長手方向寸法全体を通して存在し、前側及び後側領域（２６、２８）内に少なくとも部分的に延在することができる。吸収性本体（３８）は、吸収性物品（２０）の前側領域（２６）内に位置付けられた前側腰部パネル（５２）、後側領域（２８）内に位置付けられた後側腰部パネル（５４）、股部領域（３０）内で前側及び後側腰部パネル（５２、５４）の間にある股部パネル（５６）を有してよい。前側弾性ベルト（８４）の中心部は、吸収性本体（３８）の前側腰部パネル（５２）に接合され、後側弾性ベルト（８６）の中心部は、吸収性本体（３８）の後側腰部パネル（５４）に接合され、前側及び後側弾性ベルト（８４、８６）は、それぞれ、吸収性本体（３８）が重ならない左側パネル及び右側パネル（８２）を有する。吸収性本体（３８）は、前側腰部パネル（５２）と後側腰部パネル（５４）との間に位置付けられた股部パネル（５６）を有する。
【００２８】
吸収性材料領域（６２）は、吸収性層及び捕捉層を備えてよい。吸収性層は、超吸収性ポリマーなどの高い保持容量を有する吸収性材料が存在する領域である。吸収性層は、実質的にセルロースを含まなくてよい。吸収性層の超吸収性ポリマーは、熱可塑性接着剤材料の繊維層により不動化される第１の材料層と第２の材料層との間に配置されてよい。第１の材料層及び第２の材料層は、ＰＥ、ＰＥＴ及びＰＰの単成分繊維、サイドバイサイド、コア／シース、又はアイランドインザシー型繊維などの多成分繊維などの合成繊維を含む、不織布繊維ウェブであってよい。このような合成繊維は、スパンボンドプロセス又はメルトブロープロセスを介して形成されてよい。捕捉層は、身体排出物の捕捉及び分配を促進し、トップシートと吸収性層との間に配置され得る。捕捉層は、セルロース繊維を含んでよい。
【００２９】
吸収性層は、吸収性材料領域（６２）内に複数配置されてよい。吸収性層の一部は、チャネル又は複数のチャネルを形成するために吸収性材料を実質的に有さないように構成されてよい。チャネルは、吸収性材料領域（６２）が、流体で膨潤する際に屈曲することを可能にするのに有用であり得、これにより、吸収性物品が膨張後に着用者の身体にぴったり一致して、物品の弛みを防止する。チャネルはまた、捕捉層内に形成されてよく、吸収性層のチャネルと厚さ方向に少なくとも部分的に一致するように構成されてよい。
【００３０】
図１を参照すると、吸収性本体（３８）は、高い流体不透過性を有する材料から作製され、吸収性本体（３８）の双方の横方向縁部に沿ってバリアを提供するように弾性化された、脚部カフ（６４）を備えることができる。そのような脚部カフ（６４）は、少なくとも股部領域（３０）において、脚部カフが脚部開口部の周囲にガスケットを提供するように活性弾性であるように、吸収性本体（３８）の双方の長手方向縁部においてトップシートに結合することによって、吸収性本体の残部に取り付けられることができる。
【００３１】
本発明の物品の弾性ベルト（４０）は、嵌合力を動的に生成し、着用中に動的に発生する力を分配するように作用する。前側及び後側弾性ベルト（８４、８６）は、側縁部（８９）のみにおいて互いに接合されて、サイドシーム（３２）、腰部開口部及び２つの脚部開口部を形成することができる。各脚部開口部は、脚部開口部の周囲に弾性を備えてもよい。脚部開口部の周囲の弾性は、前側弾性ベルト（８４）からの弾性、後側弾性ベルト（８６）からの弾性、及び脚部カフ（６４）からの弾性の組み合わせにより提供されてよい。
【００３２】
バックシート及び外側カバー層（４２）の長手方向の長さは、同じであってもよいし、又は異なっていてよい。例えば、外側カバー層（４２）は、吸収性本体（３８）が弾性ベルト（４０）と重なり合う場所を外側カバー層（４２）が有しないように、バックシートの長さと比較してより短い長さを有してよい。そのような構成により、弾性ベルトは、より良好な通気性を有し得る。更に、このような構成は、コスト削減を提供し得る。バックシート及び外側カバー層（４２）の横断方向幅は、同じであってもよいし、又は異なっていてよい。例えば、バックシートは、外側カバー層（４２）の横断方向幅と比較してより短い横断方向幅を有してよい。そのような構成により、脚部開口部の一部をなす股部パネル（５６）の長手方向側縁部（４８）は、より良好な通気性を有し得る。更に、このような構成は、コスト削減を提供し得る。
【００３３】
ベルト型パンツの場合、後側弾性ベルト（８６）の長手方向長さＬＢ及び前側弾性ベルト（８４）の長手方向長さＬＦは、同じく提供されてよく、又は後側弾性ベルト（８６）は、図２Ａのように、より長い長手方向長さＬＢを有してよい。図２Ａを参照すると、着用可能物品が組み立てられて、腰部開口部及び脚部開口部を形成するとき、着用可能物品（２０）は、前側遠位縁部（８８）が後側遠位縁部（８８）と位置合わせされるように、横方向中心線Ｔ１に沿って折り畳まれる。前側側縁部（８９）もまた、後側側縁部（８９）の一部と位置合わせされる。そして、前側弾性ベルト（８４）及び後側弾性ベルト（８６）は、前側及び後側側縁部（８９）においてシーム（３２）で接合される。しかしながら、前側及び後側近位縁部（９０）は、互いに位置合わせされなくてもよい。後側近位縁部（９０）は、後側側部パネル（８２）の近位部分が前側近位縁部（９０）を超えて本体（３８）の股部パネル（５６）に向かって延在するように、横方向中心線Ｔ１に対して前側近位縁部（９０）よりも長手方向に近くに配置されてよい。後側側部パネル（８２）の近位部分の側縁部は、どこにも接合されず、取り付けされなくてもよい。このようにして、後側側部パネル（８２）の近位部分は、臀部カバー（９５）（図示せず）を提供する。
【００３４】
前側弾性ベルト（８４）及び後側弾性ベルト（８６）は、ベルト（４０）に弾性を付与するように構成されている。図１、２Ａ、及び３Ｄを参照すると、前側弾性ベルト（８４）及び後側弾性ベルト（８６）は、それぞれ、積層体を備えることができ、積層体は、横断方向に延びる複数の弾性部材（９６Ｆ、９６Ｓ）、内側シート（９４）、外側シート（９２）、及び１つ又は複数の外側シート折り畳み部（９３１、９３２）を備え、外側シート折り畳み部は、外側シート材料を前側及び後側弾性ベルト遠位縁部（８８）又はその他において折り畳むことにより形成される外側シート材料の延長部である。ベルト弾性部材（９６Ｆ、９６Ｓ）は、これらのシートの２つの間に挟まれている。前側弾性ベルト（８４）及び後側弾性ベルト（８６）は、それぞれ、弾性部材（９６Ｓ）、内側シート（９４）、外側シート（９２）、及び外側シート折り畳み部（９３１、９３２）のみによって作製され得る。ベルト弾性部材（９６Ｆ、９６Ｓ）は、横断方向に延在して、前側弾性ベルト（８４）及び後側弾性ベルト（８６）が接合される場合に環状弾性ベルト（４０）を提供することができる。少なくともいくつかの弾性部材（９６Ｆ、９６Ｓ）は、互いに略平行に横断方向に延在している。全ての弾性部材（９６Ｆ、９６Ｓ）は、互いに略平行に横断方向に延在してよい。このような物品を経済的に作製することができる。前側及び後側弾性ベルト（８４、８６）は、それぞれ、横断方向に連続する近位縁部及び遠位縁部を有することができ、近位縁部（９０）は、物品の長手方向中心に対して遠位縁部（８８）よりも近くに配置される。長手方向の腰部開口部からの前側及び後側弾性ベルトの少なくとも１０％、又は少なくとも約１５％から約７０％以下は、前側及び後側弾性ベルト（８４、８６）の横方向寸法ＬＷ全体に沿った活性弾性の積層体であってよい。前側及び後側弾性ベルト（８４、８６）のそれぞれの場合、吸収性本体（３８）の前側及び／又は後側腰部パネル（５２、５４）に重なる領域は、その弾性活性を除去することができる。弾性活性を除去したそのような領域は、本明細書では「弾性カットウィンドウ」と称され、弾性を付与することができる完全な弾性部材の残部は、「弾性部材の弾性の有効長」として定義される。
【００３５】
前側及び後側弾性ベルト（８４、８６）の全体の引張応力（Ｎ／ｍ）は、それぞれ、伸張及び適用の容易さなど、本発明の機能的利益を提供するとともに、また、着用中に一定の力を維持しながら、装填後に物品が弛むのを防止するためにプロファイルされることができる。前側及び後側弾性ベルト（８４、８６）の弾性が、横断方向に延びる複数の弾性部材（９６Ｆ、９６Ｓ）により提供される場合、引張応力は、以下の方法のうちの１つ以上により調整されてよい；１）弾性部材（９６Ｆ、９６Ｓ）の伸長率、２）弾性部材（９６Ｆ、９６Ｓ）の密度（ｄｔｅｘ）、３）複数の弾性部材（９６Ｆ、９６Ｓ）の長手方向ピッチ、及び４）横断方向における弾性部材（９６Ｆ、９６Ｓ）の弾性の有効長。伸長率により、「０％の伸長率」とは、弾性部材の元の長さを意味する。
【００３６】
図２Ａ及び２Ｂを参照すると、前側及び後側弾性ベルト（８４、８６）は、それぞれ、横断方向に広がる複数のゾーンに分割され、シーム長ＬＳの割合に対して遠位縁部（８８）から近位縁部（９０）までのその位置によって画定されることができ、遠位縁部（８８）は、０％とみなされ、近位縁部（９０）は、１００％とみなされる。複数のゾーンは、前側及び後側弾性ベルト（８４、８６）にそれぞれ異なる引張応力、又は異なる機能を提供するように構成されてもよい。本発明の吸収性物品では、腰部ガード部分ＷＧＰは、前側弾性ベルト（８４）及び後側弾性ベルト（８６）の一方又は双方のＬＳの２５〜６０％の位置内に配置され、腰部ガード部分ＷＧＰは、閉鎖ベースライン（１０３Ｂ）から開放縁部（１０３Ｍ）に向かって股部領域に向かって延在し、腰部ガード部分ＷＧＰは、前側又は後側弾性ベルト（８４、８６）の残部に部分的に結合されてポケット（１０３Ｐ）を画定する。図１は、後側弾性ベルト上の腰部ガード部分ＷＧＰを示している。腰部ガード部分ＷＧＰは、ＬＳの２５％〜６０％全体にわたる必要はなく、むしろそのような寸法内に含まれる。腰部ガード部分ＷＧＰは、ＬＳの約２５％から約５０％、又はＬＳの約３０％から約６０％、又はＬＳの約２５％から約５５％、又はＬＳの約３０％から約５０％の寸法で配置されてもよい。理論に束縛されるものではないが、後側弾性ベルト（８６）上にそのような寸法で腰部ガード部分ＷＧＰを設けることによって、鼻水や血液などの低粘度排泄物が効果的にポケットに引き込まれることができるように、着用者の臀部割れ目は、腰部ガード部分ＷＧＰによって効果的に覆われる。理論に束縛されるものではないが、前側弾性ベルト（８４）上にそのような寸法で腰部ガード部分ＷＧＰを設けることによって、尿などの低粘度排泄物がポケット内に効果的に引き込まれることができるように、着用者の恥骨と一致する領域は、腰部ガード部分ＷＧＰによって効果的に覆われる。
【００３７】
図２Ｂ、２Ｃ、及び３Ａ〜３Ｄを参照すると、腰部ガード部分ＷＧＰは、後側弾性ベルト（８６）上に設けられた実施形態を利用することによって説明される。腰部ガード部分ＷＧＰは、内側シート（９４）の長手方向寸法を越えて延在する外側シート（９２）の延長によって作製され、外側シート（９２）の延長部は、第１の弾性部材（９６Ｆ）を包含し、更にサイドシーム長ＬＳに対して意図される位置に腰部ガード部分ＷＧＰを設けるために、内側に２回折り畳まれる。２つの折り目の結果として、第１の弾性部材（９６Ｆ）は、第１の外側シート折り畳み部（９３１）と第２の外側シート折り畳み部（９３２）との間に挟まれ、第１の外側シート折り畳み部（９３１）は、腰部ガード部分ＷＧＰの衣類に面する側を構成し、第２の外側シート折り畳み部（９３２）は、身体に面する表面を構成する。図２Ｃ及び３Ｄを参照すると、第２の外側シート折り畳み部（９３２）の遠位縁部からの特定の長手方向寸法は、ベルトの残部に結合され、そのような結合は、ＳＷＦＡとして示されているが、いくつかの長手方向寸法は非結合状態のままである。非結合領域の最も遠位に設けられた位置は、閉鎖ベースライン（１０３Ｂ）であり、第１の外側シート折り畳み部（９３１）及び第２の外側シート折り畳み部（９３２）の共通の近位縁部は、開放縁部（１０３Ｍ）である。腰部ガード部分ＷＧＰは、閉鎖ベースライン（１０３Ｂ）及び開放縁部（１０３Ｍ）から広がる長手方向寸法を有し、それが設けられるベルトの幅に一致する横断寸法を有するものとして定義される。腰部ガード部分ＷＧＰの左右の横方向縁部もまた、ベルトの残部に結合され、そのような結合は、ＳＷＦＡとして示されている。このようにして設けられる非結合領域は、ポケット（１０３Ｐ）である。ポケット（１０３Ｐ）の領域を画定するために設けられる結合部は、ポケット（１０３Ｐ）を実質的にバックシートに重ね合わせ、好ましくはバックシートを完全に重ね合わせるように構成される。理論に束縛されるものではないが、ポケット（１０３Ｐ）を実質的にバックシートに重ね合わせることによって、これは、ポケット（１０３Ｐ）に入った低粘度排泄物が、腰部開口部又は横方向縁部に向かってポケット（１０３Ｐ）から流出又は浸透することを防止する。
【００３８】
図２Ｂを参照すると、第１の弾性部材（９６Ｆ）は、腰部ガード弾性部分ＷＧＥＰを提供し、弾性は、１つ以上の弾性ストランド、弾性リボン、機械的に活性化された不織布、又はその他によって付与されることができる。腰部ガード弾性部分ＷＧＥＰは、開放縁部（１０３Ｍ）から第１の弾性部材（９６Ｆ）の遠位縁部まで広がる長手方向寸法（１０３１）を有するものと定義される。第１の弾性部材（９６Ｆ）が複数の弾性ストランドである場合、腰部ガード弾性部分ＷＧＥＰの遠位縁部は、最も遠位に位置付けられる弾性ストランドの位置である。腰部ガード弾性部分上に配置された２〜１０個の弾性ストランド、又は２〜５個の弾性ストランド、又は２〜８個の弾性ストランド、又は３〜４個の弾性ストランド、又は３〜８個の弾性ストランド、又は４〜６個の弾性ストランドが存在してもよい。腰部ガード弾性部分ＷＧＥＰの長手方向寸法は、収容容量を有するポケット（１０３Ｐ）が設けられることができるように、腰部ガード部分ＷＧＰの長手方向寸法よりも小さい。腰部ガード弾性部分ＷＧＥＰの長手方向寸法は、約４０ｍｍ以下、又は約３５ｍｍ以下、又は約３０ｍｍ以下、又は約２５ｍｍ以下、又は１５ｍｍから約４０ｍｍ、又は約１０ｍｍから約３５ｍｍ、又は約１０ｍｍから約２５ｍｍであってもよい。図２Ｂ及び２Ｃでは、ポケット（１０３Ｐ）は、矩形形状を有するが、ポケット（１０３Ｐ）は、閉鎖ベースライン（１０３Ｂ）が成形されるように結合領域ＳＷＦＡを変更することによって他の形状を取り得る。例えば、閉鎖ベースライン（１０３Ｂ）は、着用者の解剖学的構造と一致するようにポケット（１０３Ｂ）に向かって凹状又は凸状とすることができる。閉鎖ベースライン（１０３Ｂ）と開放縁部（１０３Ｍ）との間の最短距離として定義されるポケット（１０３Ｐ）の長手方向寸法は、約２０ｍｍから約４５ｍｍ、又は約２４ｍｍから約４２ｍｍであってもよい。
【００３９】
図２Ｂ及び３Ｄを参照すると、腰部ガード弾性部分ＷＧＥＰと重なるベルトの残部は、相関部分ＣＰを画定する。即ち、相関部分ＣＰは、腰部ガード弾性部分ＷＧＥＰと同じ長手方向寸法（１０３１）を有する。相関部分ＣＰは、伸縮性であってもよく、又は伸縮性でなくてもよく、腰部ガード弾性部分ＷＧＥＰの引張応力は、相関部分ＣＰの引張応力よりも高い。相関部分ＣＰは、伸縮性であってもよく、腰部ガード弾性部分ＷＧＥＰの引張応力は、相関部分ＣＰの引張応力よりも少なくとも約２５％高い、又は少なくとも約１００％高い。理論に束縛されるものではないが、そのような引張応力差は、腰部ガード弾性部分ＷＧＥＰが着用者と密接に接触することを可能にする一方で、相関部分ＣＰから開放縁部（１０３Ｍ）を引き離すことにより、ポケット（１０３Ｐ）を近位側に向かって開くことができる。したがって、ポケット（１０３Ｐ）は、良好な収容能力を有するように構成される。相関部分ＣＰは、一部が伸縮性であるように弾性カットウィンドウを有してもよい一方で、横方向中心は、ポケット（１０３Ｐ）の開口部と干渉しない。腰部ガード弾性部分ＷＧＥＰが、複数の弾性ストランド（９６Ｆ）を配置することによって伸縮されるとき、１つの弾性ストランドは、開放縁部（１０３Ｍ）から２ｍｍ以上５ｍｍだけ離れて配置される。腰部ガード位置ＷＧＰが着用者に刺激を引き起こすのを防ぐために、開放縁部（１０３Ｍ）のまさに縁部上に弾性ストランドを配置することが回避されることができる。腰部ガード弾性部分ＷＧＥＰは、互いの間において比較的小さいピッチを有する複数の弾性ストランド（９６Ｆ）とともに配置されてもよい。腰部ガード弾性部分ＷＧＥＰの弾性ストランド（９６Ｆ）は、約１２ｍｍ以下、又は約１０ｍｍ以下、又は約６ｍｍ以下、又は約２ｍｍから約８ｍｍ、又は約３ｍｍから約９ｍｍ、又は約２ｍｍから約６ｍｍのピッチで配置されてもよい。
【００４０】
腰部ガード弾性部分ＷＧＥＰを設けるための弾性ストランド（９６Ｆ）は、腰部ガード部分ＷＧＰの存在及び機能が着用者又は介護者に明確に伝達されるように、色で提供されてもよい。腰部ガード弾性部分ＷＧＥＰを設けるための弾性ストランドの少なくとも２つは、物品の身体に面する側から見える色を有してもよい。色は、封じ込めの色と混同しない一方で、容易に認識されるために、緑色、青色、紫色、又はこれらの組み合わせから選択されてもよい。同じ又は類似の色を、ベルト上に配置された他の弾性ストランド（９６Ｓ）に使用して、調整された外観を提供してもよい。例えば、前側腰部ゾーン（１０２）又は後側腰部ゾーン（１０２）上のこれらの弾性ストランドは、同じ又は類似の色を有してもよい。
【００４１】
腰部ガード部分ＷＧＰは、改善された機能を提供するために、吸収性本体に対して特定の方法で構成されてもよい。上述したように、ポケット（１０３Ｐ）の領域は、バックシートと実質的に重なる、好ましくはバックシートと完全に重なるポケット（１０３Ｐ）を提供するように構成される。図２Ｃ及び３Ｄを参照すると、吸収性本体（３８）の長手方向縁部は、腰部ガード部分ＷＧＰとベルトの残部との間に位置付けられて結合されることができる。これは、身体に面する表面上に吸収性本体（３８）の鋭利な縁部を有することを回避し、また縁部からの漏れを回避するためである。吸収性本体（３８）は、吸収性材料非存在領域（６１）によって包囲され得る吸収性材料領域（６２）を備え、吸収性材料領域（６２）は、吸収性材料非存在領域（６１）よりも厚い厚さを有する。吸収性材料領域（６２）は、ポケット（１０３Ｐ）の領域を部分的に重ね合わせて、この領域に少なくともいくらかの吸収能力を提供してもよい。ポケット（１０３Ｐ）の領域の少なくとも約３％、又は少なくとも約１０％は、吸収性材料領域（６２）を近位縁部に向けて重ね合わせることができる。たとえそうであっても、腰部ガード弾性部分ＷＧＥＰ、相関部分ＣＰ、及びそれらの間に挟まれた吸収性本体（３８）の部分の合計厚さは、約５ｍｍ以下、好ましくは約４ｍｍ以下に保たれることができる。これは、腰部ガード弾性部分ＷＧＥＰの弾性により、物品の残部の厚さが近位側に向かうポケット（１０３Ｐ）の開口部に干渉しないようなものである。吸収性本体（３８）が捕捉システムを備える場合、捕捉システムは、ポケット（１０３Ｐ）と重なることから回避され得る。上述した方法で腰部ガード部分ＷＧＰを吸収性本体（３８）に対して設けるために、腰部開口部と吸収性本体（３８）の長手方向縁部との間の距離は、調整されてもよく、即ち、後側又は前側に向かってシフトされてもよい。例えば、腰部ガード部分ＷＧＰが後側弾性ベルト（８６）上のみに設けられる場合、腰部開口部と吸収性本体（３８）の長手方向縁部との間の距離は、前側よりも後側においてより短く作製されてもよい。
【００４２】
腰部ガード部分ＷＧＰが配置されるベルトは、横断方向に広がる３つのゾーンに分割され、シーム長ＬＳの割合に対する遠位縁部（８８）から近位縁部（９０）までのその位置によって画定されることができる。腰部ガード部分ＷＧＰの遠位縁部に対する０％は、腰部ゾーン（１０２）であり、腰部ガード部分ＷＧＰの近位縁部に対する遠位縁部は、保護ゾーン（１０３）であり、１００％に対する腰部ガード部分ＷＧＰの近位縁部は、他のゾーンである。保護ゾーン（１０３）の遠位縁部又は近位縁部に配置された弾性部材が存在する場合、そのような弾性部材は、保護ゾーン（１０３）に含まれるとみなされる。弾性部材は、腰部ガード部分ＷＧＰの非伸縮性領域と重なる保護ゾーン（１０３）の残部上に配置されてもよい。腰部ガード部分ＷＧＰの存在にかかわらず、弾性部材は、腰部ゾーン（１０２）のそれぞれの上に配置されてもよく、保護ゾーン（１０３）は、腰部ガード部分ＷＧＰ以外、及び他のゾーンに配置されてもよい。
【００４３】
腰部ガード部分ＷＧＰは、改善された機能を提供するために、吸収性本体（３８）の双方の横方向縁部に沿って配置された一対の脚部カフ（６４）に対して特定の方法で構成されてもよい。腰部ガード部分ＷＧＰを備えるベルトの場合、脚部カフ（６４）は、開放縁部（１０３Ｍ）と交差する点において、活性弾性であってもよい。そのような位置において活性弾性で脚部カフを設けることによって、脚部カフ及び腰部ガード弾性部分ＷＧＥＰからの組み合わされた弾性は、脚部カフ（６４）及び腰部ガード部分ＷＧＰを着用者と密接に接触させて保持し、ポケット（１０３Ｐ）のための更なる収容能力を更に提供するのに役立つことができる。
【００４４】
図２Ａ及び２Ｂを参照すると、腰部ガード部分ＷＧＰが後側弾性ベルト（８６）上に配置される場合、後側弾性ベルト（８６）は、横断方向に広がる３つのゾーンに分割され、シーム長ＬＳの割合に対して遠位縁部（８８）から近位縁部（９０）までのその位置によって画定されることができる。腰部ガード部分ＷＧＰの遠位縁部に対する０％は、後側腰部ゾーン（１０２）であり、腰部ガード部分ＷＧＰの近位縁部に対する遠位縁部は、保護ゾーン（１０３）であり、１００％に対する腰部ガード部分ＷＧＰの近位縁部は、臀部ゾーン（１０５）である。後側弾性ベルトは、臀部カバーゾーン（１１０）を更に有してもよく、後側弾性ベルトの長手方向寸法ＬＢは、ＬＳを超える。弾性部材は、腰部ゾーン（１０２）のそれぞれの上に配置されてもよく、保護ゾーン（１０３）は、腰部ガード部分ＷＧＰ、臀部ゾーン（１０５）、及び臀部カバーゾーン（１１０）以外に配置されてもよい。
【００４５】
腰部ガード部分ＷＧＰが前側弾性ベルト上に配置されていないとき、前側弾性ベルトは、４つのゾーンに分割されてもよく、０〜２５％は、腰部ゾーン（１０２）であり、２５〜５０％は、遠位腹部ゾーン（１０４）であり、５０〜８５％は、近位腹部ゾーン（１０６）であり、８５〜１００％は、脚部ゾーン（１０８）である。遠位縁部（８８）から２５％に配置された弾性部材が存在する場合、そのような弾性部材は、腰部ゾーン（１０２）に含まれるものとみなされる。遠位縁部（８８）から５０％、又は遠位縁部（８８）から８５％に配置された弾性部材が存在する場合、そのような弾性部材は、近位腹部ゾーン（１０６）に含まれるものとみなされる。
【００４６】
腰部ガード部分ＷＧＰが後側弾性ベルト上に配置され、前側弾性ベルト上に配置されない場合、保護ゾーン（１０３）の引張応力は、後側腰部ゾーン（１０２）、又は臀部ゾーン（１０５）のいずれかの引張応力よりも高く提供されてもよい。腰部ガード部分ＷＧＰが後側弾性ベルト上に配置され、前側弾性ベルト上に配置されない場合、前側近位腹部ゾーン（１０６）の引張応力は、前側腰部ゾーン（１０２）、前側遠位腹部ゾーン（１０４）、又は前側脚部ゾーン（１０８）のいずれかの引張応力よりも高く提供されてもよい。前側近位腹部ゾーン（１０６）の引張応力は、前側又は後側のいずれかの、任意の他のゾーンの引張応力よりも大きくすることができる。前側弾性ベルト及び後側弾性ベルトの全てのゾーンを比較するとき、引張応力は、前側近位腹部ゾーン（１０６）、続いて保護ゾーン（１０３）の順で最大に提供されてもよい。ゾーンあたりの引張応力のそのようなプロファイリングは、図４のような、人間の身体、特に３６か月よりも年少の幼児の下部胴体に良好に適合する成形腰部ベルト（４０）を有する本発明の物品を提供し、したがって、弛み又は漏れ防止を損なうことなく着用者に良好にフィットして快適性を提供するものと考えられる。即ち、前側近位腹部ゾーン（１０６）は、物品が着用者の転子部に対して固定されることができるとともに、臀部ゾーン（１０５）が着用者の臀部に適応するようにより多くの領域を残すように、高い引張応力を受ける。
【００４７】
図３Ａ〜３Ｄを参照すると、本発明の弾性ベルトは、内側シート（９４）、外側シート（９２）、第１の外側シート折り畳み部（９３１）、第２の外側シート折り畳み部（９３２）、並びにこれらの層内に包含された第１及び第２の弾性部材（９６Ｆ、９６Ｓ）を備える比較的単純な構造によって作製されることができる。腰部ガード部分ＷＧＰを備える弾性ベルトの任意の部分は、６層未満、又は３〜４層、及び約５ｍｍ以下、又は約４ｍｍ以下の厚さによって作製されてもよい。ベルト構造を単純且つ比較的薄く提供することは、ベルトの通気性及び柔軟性を維持する上で有利である。更に、弾性ベルトは、９４０ｄｔｅｘ以下の密度を有する当該技術分野において一般的に使用される弾性ストランドによって作製されてもよい。ベルトの特定のゾーンは、約５００ｄｔｅｘ以下の密度を有する弾性体から配置されてもよく、したがって柔らかいフィット性を提供する。約５００ｄｔｅｘ以下の密度を有する弾性体は、腰部ゾーン（１０２）又は前側脚部ゾーン（１０８）のうちの１つ以上の上に配置されてもよい。理論に束縛されるものではないが、比較的低い密度の弾性体は、着用中に良好なフィット性を維持しながら、物品（２０）を伸張開放する際に、容易な初期伸張経験を付与すると考えられる。本発明の物品は、低粘度の身体排泄物が腰部開口部から漏れるのを防止するとともに、適用を容易にするための良好な伸縮性、弛みを防止するための良好なフィット性、良好な快適性及び柔軟性、並びに良好な通気性を維持するための保護手段を備えてもよい。本物品は、約９Ｎ以下、又は約８Ｎ以下の本明細書における全物品力測定法による腰部周囲力を有することができる。
【００４８】
本発明では、内側シート（９２）、外側シート（９４）、又は外側カバー層（４２）のうちの少なくとも１つは、複数の開口を更に備えてもよく、個々の開口は、楕円形又は多面体の形状であってもよい一方で、約３以下、又は約２．５以下のアスペクト比を有してもよい。個々の開口は、少なくとも約０．４ｍｍ、又は約０．４ｍｍから約２．０ｍｍの横方向寸法ＡＰＴと、長手方向寸法ＡＰＬを有することができ、ＡＰＴは、ＡＰＬよりも少なくとも約１０％大きい。更に、個々の開口は、約５ｍｍ以下の長手方向ピッチＤＦ２によって互いに離間していてもよく、ＡＰＬは、ＤＦ２の５０％以下であり、又はＡＰＬは、ＤＦ２の約１２％から約３０％である。そのようなサイズ、形状、及び間隔の開口は、衣類に面する表面上において肉眼で見ることができる。開口が外側シート（９２）上に設けられる場合、これは、ギャザーが収縮状態にある場合であっても、弾性ベルト（４０）の弾性部材の収縮によって作製された通気性及び高品質のギャザーを付随することができる。外側シート（９２）及び外側カバー層（４２）上に開口を設け、開口のパターンを更に調整することによって、これは、弾性ベルト（４０）及び吸収性本体（３８）の一体的な外観を向上させることができる。
【００４９】
図１、２Ａ、及び３Ｄを参照すると、後側弾性ベルト（８６）が腰部ガード部分ＷＧＰを備える場合であっても、後側弾性ベルト（８６）の残部、特に後側弾性ベルト（８６）の衣類に面する表面は、単純な構造で維持されてもよい。これは、物品が、後側弾性ベルト（８６）の衣類に面する表面に取り付けられた廃棄テープを有するなど、パンツ型吸収性物品の所望の他の機能を有することを可能にする。したがって、吸収性物品は、固定手段を有しなくてもよい。
【００５０】
図３Ａ〜３Ｄを参照すると、本発明の吸収性物品を作製するためのステップが、後側弾性ベルト（８６）が腰部ガード部分ＷＧＰを備える実施形態を利用して説明される。後側ベルトのみが図３Ａ〜３Ｄに示されているが、腰部ガード部分ＷＧＰは、前側弾性ベルト（８４）上に同じ方法で作製されることができる。更に、前側及び後側弾性ベルトは、同じ連続的な第１及び第２のシート（９４Ｃ、９２Ｃ）から形成されてもよい。本発明の弾性ベルトは、外側シート（９２）に２つの折り目を設け、弾性ベルト（４０）を柔らかく且つ比較的薄く保つステップを備えるプロセスによって作製されることができる。プロセスは、第１の折り目（９３１）によって腰部ガード弾性部分ＷＧＥＰのために弾性ストランド（９６Ｆ）を導入することと、第２の折り目（９３２）によって腰部ガード部分ＷＧＰを構成することと、第１及び第２の折り目（９３１、９３２）の特定の部分を後側弾性ベルト（８４）又は後側腰部パネル（５４、３８）の残部に結合することによってポケット（１０３Ｐ）を構成することと、を備える。腰部ガード部分ＷＧＰを有しない物品を作製する方法と比較した主な相違点は、以下を含む。外側シート（９２）を物品のより長い長手方向寸法、又はＣＤ方向のより広い寸法で設けること、及び、１つの折り目ではなく、外側シート（９２）の２つの折り目を設ける追加のステップを有すること。そのような相違点は、パンツ型物品を作製するための現在利用可能な方法の上流を変更することによって、好都合に達成されることができる。これは、比較的容易に腰部ガード部分ＷＧＰを有しないものからの本発明の吸収性物品を作製する上での変更を可能にする。以下、本発明の製造方法について更に詳細に説明する。
【００５１】
図５を参照すると、本方法は、パンツ型吸収性物品を作製するための現在利用可能な方法に対するわずかな追加及び変更によって、前側弾性ベルト（８４）又は後側弾性ベルト（８６）のうちの少なくとも１つに腰部ガード部分ＷＧＰを設けることを目的とする。図５は、ベルト型パンツを作製する方法を具体的に説明する。即ち、図６及び図３Ａ〜３Ｄを参照すると、追加の第１の折り畳みステップがプロセスの上流に追加される。図３Ａ〜３Ｂの第１の折り畳みステップは、第１の弾性ストランド（９６Ｆ）を導入し、図３Ｃ〜３Ｄのような第２の折り畳みステップは、腰部ガード部分ＷＧＰを構成する。本方法は、腰部ガード部分ＷＧＰを有しない製品と比較して、ベルトのための同じ数の弾性ストランドを使用することを可能にし、同様のライン速度での製造も可能にする。ライン速度は、毎分少なくとも約２００メートル、又は毎分少なくとも約２５０メートル、又は毎分少なくとも約３００メートル、又は毎分少なくとも約３５０メートル、又は毎分少なくとも約４００メートルとすることができる。
【００５２】
完成した物品では、連続シート（９２Ｃ）の第１の層は、外側シート（９２）となり、連続シート（９４Ｃ）の第２の層は、内側シート（９４）となり、第１の弾性体（９６ＦＣ）は、腰部ガード弾性部分ＷＧＥＰの弾性体（９６Ｆ）となり、第２の弾性体（９６ＳＣ）は、残りの弾性体（９６Ｓ）となり、ポケット（１０３Ｐ）は、第１及び第２の折り目（９３１Ｃ、９３２Ｃ）の非結合部分によって形成される。
【００５３】
本方法は、以下の４ステップを備える。
【００５４】
Ａ）腰部ガード前駆体を形成すること
図３Ａ、３Ｂ、５及び６を参照すると、このステップは、機械（ＭＤ）方向において内面及び反対側の外面を有し且つ機械（ＣＤ）方向に幅を画定する連続シート（９２Ｃ）の第１の層を前進させることと、
機械方向において内面及び反対側の外面を有し且つ連続シートの第１の層よりも小さい幅を有する連続シート（９４Ｃ）の第２の層を前進させることと、
複数の第１の弾性部材（９６ＦＣ）を延伸状態で機械方向に前進させることと、
第１の層（９２Ｃ）の内面上に第１の弾性部材（９６ＦＣ）を結合することと、
第１の層（９２Ｃ）の幅縁部を第１の腰部折り畳み点（ＦＷＦＰ）において機械方向に沿って折り畳み、第１の腰部折り目（９３１Ｃ）を形成することと、
第１の層（９２Ｃ）の内面と第１の腰部折り目（９３１Ｃ）との間で第１の弾性部材（９６ＦＣ）を結合して、腰部ガード前駆体ＷＧＰＰを形成することと、を備える。
【００５５】
第１の腰部折り目（９３１Ｃ）は、第１の腰部折り畳み点ＦＷＦＰにおいて第１の層を折り畳むことによって作製される。第１の弾性部材（９６ＦＣ）は、連続的な第１の弾性部材（９６ＦＣ）と連続的な第２の弾性部材（９６ＳＣ）との間の領域において、第１の連続シート（９２Ｃ）上に設けられた第１の腰部折り畳み接着剤ＦＷＦＡによって、腰部ガード前駆体ＷＧＰＰ内に固定されることができる。連続的な第１の弾性部材（９６ＦＣ）にはまた、第１の連続シート（９２Ｃ）に結合する前に接着剤（２２８）が塗布されることができる。第１の弾性部材（９６ＦＣ）は、接着剤によって連続的に、又は断続的に、第１の連続シート（９２Ｃ）のいずれか又は双方の層に結合されることができる。第１の弾性部材（９６ＦＣ）が断続的に結合される場合、結合パターンは、物品ごとにサイドシームに沿ってのみ結合が存在するように配置されてもよい。
【００５６】
Ｂ）ベルトの他の弾性部材に入ること
図３Ａ及び５を参照すると、このステップは、延伸状態で機械方向に複数の第２の弾性部材（９６ＣＳ）を前進させることと、
第２の弾性部材（９６ＣＳ）を第１の層（９２Ｃ）の内面に結合することと、
第２の弾性部材（９６ＣＳ）を挟むために、第２の層（９４Ｃ）の内面を第１の層（９２Ｃ）の内面に結合することと、を備える。
【００５７】
図５を参照すると、連続的な第２の弾性部材（９６ＳＣ）にはまた、第１及び第２の連続シート（９２Ｃ、９４Ｃ）間の結合の前に接着剤（２２８）が塗布されることができる。第２の弾性部材（９６ＳＣ）は、第１の連続シート（９２Ｃ）のいずれか又は双方の層に連続的に、又は断続的に結合されることができる。第２の弾性部材（９６ＳＣ）が断続的に結合される場合、結合パターンは、物品ごとにサイドシームに沿ってのみ結合が存在するように配置されてもよい。
【００５８】
図示されていないが、第１及び／又は第２の連続シート（９２Ｃ、９４Ｃ）への垂直接着剤が、ＣＤ方向に連続的又は不連続ラインで且つＭＤ方向に離間して設けられてもよい。そのような垂直接着剤は、第１及び第２の弾性部材（９６ＳＣ）を断続的に結合するために利用されてもよい。
【００５９】
ステップＡ）及びＢ）は、ステップ中に利用される任意の接着剤の曝露時間を短縮するために、実質的に同時に達成されてもよい。ステップＡ）及びＢ）は、前側及び後側弾性ベルト（８４、８６）の双方を作製するために、実質的に同時に達成されてもよい。更に、弾性部材（９６ＦＣ、９６ＳＣ）に対して弾性カットウィンドウが所望されるか否かに応じて、弾性部材（９６ＦＣ、９６ＳＣ）は、第１及び第２の連続シート（９２Ｃ、９４Ｃ）と接合する前にグループ化されてもよい。上記説明したように、特定の弾性部材（９６ＳＣ）は、前側及び／又は後側腰部パネル（５２、５４）と重なる領域内の特定の長さにわたって弾性活性を除去する弾性カットウィンドウを有してもよい。そのような弾性カットウィンドウは、第１又は第２の連続シート（９２Ｃ、９４Ｃ）に結合されていない弾性部材を残し、弾性部材を切断することによって作製される。接着剤を塗布することによって結合が提供される場合、弾性部材を、弾性カットウィンドウを有するもの、及び弾性カットウィンドウを有しないものにグループ化することが便利であり得る。弾性カットウィンドウを有しないそれらの弾性部材には、弾性部材の物品あたりの長さ全体にわたって接着剤が塗布されてもよいとともに、弾性カットウィンドウを有するそれらの弾性部材には、断続的に接着剤が塗布されてもよい。一実施形態では、腰部開口部（９６ＳＣ）に沿って最終的に連続的に結合されることになる第１の弾性部材（９６ＦＣ）及び弾性部材は、連続的な接着剤塗布による１つのグループに導入されてもよいとともに、弾性カットウィンドウ（９６ＳＣ）を有する残りの弾性部材は、断続的な接着剤塗布による他のグループに導入されてもよい。
【００６０】
Ｃ）図３Ｃ及び５を参照すると、このステップは、吸収性本体（３８）を第２の層（９４Ｃ）の外面に結合することを備える。ベルト接着剤に対するシャーシＣＴＢＡは、この結合のために第２の層（９４Ｃ）の外面に適用されてもよい。図示されていないが、ベルト接着剤に対するシャーシＣＴＢＡは、ＭＤ方向に連続的なストライプで且つＣＤ方向に離間して設けられることができる。
【００６１】
図５を参照すると、ステップＣ）の前に、吸収性物品がベルト型パンツである場合、一体に形成された前側及び後側弾性ベルトアセンブリは、スリットカッター（５００）によって分離されてもよい一方で、吸収性本体（３８）は、連続的な吸収性本体を別個の断片に切断し、吸収性本体（３８）を適切に離間させながら吸収性本体（３８）を第２の位置に回転させるように移送装置を介して処理し、吸収性本体（３８）の横軸が弾性ベルト作製アセンブリのＭＤ方向と位置合わせされるように接合されるために移送されることによって形成されてもよい。
【００６２】
Ｄ）腰部ガード部分を形成すること
図２Ｃ、３Ｃ、３Ｄ、５、及び６を参照すると、このステップは、以下を備える。
このようにして得られたアセンブリを、第２の腰部折り目（９３２）の腰部ガード前駆体ＷＧＰＰと第２の層（９４Ｃ）の幅縁部との間の第２の腰部折り畳み点ＳＷＦＰにおいて機械方向に沿って折り畳み、吸収性本体（３８）の一部が、第２の腰部折り目（９３２）の近位縁部と第２の層（９４Ｃ）の外面との間に挟まれること、及び
第１の腰部折り目（９３１）の所定の部分及び第２の腰部折り目（９３２）の所定の部分を、それが面するアセンブリの残部に結合することであって、結合されていないままの第１の腰部折り目（９３１）及び第２の腰部折り目（９３２）がポケット（１０３Ｐ）を形成すること。この結合のために、第２の腰部折り畳み接着剤ＳＷＦＡは、第１の腰部折り目（９３１）と、第２の腰部折り目（９３２）になるように計画された第１の連続シート（９２Ｃ）の内面とに塗布されてもよい。図２Ｃを参照すると、第２の腰部折り畳み接着剤ＳＷＦＡは、得られた物品の横方向中心に開口部が存在するように塗布される。図２Ｃを参照すると、第２の腰部折り畳み接着剤ＳＷＦＡは、得られた物品が破線領域全体にわたって結合されるように塗布されてもよく、又はストライプ若しくは螺旋、又は使用中に任意の脱離に耐え且つ収容された排泄物がポケットの外側に浸透するのを回避するのに十分な結合で破線領域を覆う他の形状で提供されてもよい。
【００６３】
ステップＣ）及びＤ）は、ステップ中に利用される任意の接着剤の曝露時間を短縮するために、実質的に同時に達成されてもよい。
【００６４】
そして、ステップＤ）の後に得られたアセンブリは、ＣＤ方向における中間点で折り畳まれ、最終的な連続アセンブリ（４００）を得る。そして、最終的な連続アセンブリ（４００）は、物品の計画された左右縁部において継ぎ合わされた後、最終的に切断されて個々の吸収性物品を得る。
【００６５】
図３Ｄを参照すると、腰部ガード部分ＷＧＰを備える弾性ベルト（８４、８６）のいずれかは、厚さ方向にベルト形成シートの３〜４層、即ち、外側シート（９２）、内側シート（９４）、第１の腰部折り畳み部（９３１）及び第２の腰部折り畳み部（９３２）の合計以下に設けられてよい。したがって、本発明の吸収性物品は、４〜８層の階調でサイドシーム（３２）に沿った部分を有してもよい。様々な数の層を有するそのようなサイドシームを継ぎ合わせるために、図７Ａ〜７Ｃのうちの１つに記載されているサイドシーム加工が有利とすることができ、以下に詳細に記載される。
【００６６】
側方の継ぎ合わせは、連続前側弾性ベルトの基材及び連続後側弾性ベルトの基材を少なくとも部分的に溶融させた後、アンビルロール（３６８）の外周面と押圧部材（３８０）との間で溶融部分を圧縮するために、加熱空気のジェットを最終連続アセンブリ（４００）に導くことによって提供されることができる。圧縮は、第１の圧縮及び第２の圧縮を備えてもよく、第１の圧縮及び第２の圧縮の圧縮領域は、サイドシームの長手方向寸法にわたって変化してもよい。
【００６７】
例えば、図７Ａは、本明細書における方法及び装置によって利用され得る結合装置モジュール（３３４）の第１の実施形態の概略側面図を示している。図７Ａに示すように、結合装置モジュール（３３４）は、継ぎ合わせドラム（３６４Ｒ）と、継ぎ合わせドラム（３６４Ｒ）に隣接して位置する圧縮ステージ（３３５）と、を含むことができる。アセンブリは、溶融に十分な時間を提供するために、継ぎ合わせドラム（３６４Ｒ）の周囲で回転されることができ、その結果、溶融部分が圧縮されて、その長手方向寸法の実質的な全体に沿って溶融した材料の連続性を有するように、結果として得られた物品のサイドシーム（３２）を提供することができる。高温空気ノズルは、継ぎ合わせドラム（３６４Ｒ）の活性領域（３９０）内にのみ加熱空気を能動的に導くことができる。圧縮ステージ（３３５）は、継ぎ合わせドラム（３６４Ｒ）を出た直後に位置することができる。圧縮ステージ（３３５）は、互いに係合する１組のアンビルロール（３６８）及び押圧部材（３８０）を備えることができる。アンビルロール（３６８）は、外周面を含み、回転軸（３７２）の周りを回転するように適合されている。押圧部材（３８０）は、互いに隣接する一対のサイドシームを形成するために、外周面と係合するための一対又は複数の突出部（４２２）を備えることができる。継ぎ合わせドラム（３６４Ｒ）から独立した圧縮ステージ（３３５）を設けることによって、アンビルロール（３６８）及び押圧部材（３８０）は、それぞれ、シームへのアセンブリの種類に従って調整されることができる。これは、継ぎ合わせドラム（３６４Ｒ）を製造する必要なく、様々な種類の基材及び様々なサイズから作製されたアセンブリを継ぎ合わせることができる点で有利である。アンビルロール（３６８）の外周面及び押圧部材（３８０）の突出部（４２２）は、外周面と係合するために、様々な結合圧力を提供するための構成を有してもよい。
【００６８】
他の実施例では、図７Ｂ及び７Ｃは、それぞれ、結合装置モジュール（３３４）の第２の実施形態及び第３の実施形態の概略側面図を示している。第１の実施形態と同様に、図７Ｂ及び７Ｃに示される第２及び第３の実施形態は、異なる構成の圧縮ステージ（３３５）を有する一方で、同様の継ぎ合わせドラム（３６４Ｒ）を含むことができる。図７Ｂを参照すると、圧縮ステージ（３３５）は、継ぎ合わせドラム（３６４Ｒ）を出た直後に位置することができ、圧縮ステージ（３３５）は、２組の係合アンビルロール（３６８）及び押圧部材（３８０）を備えることができる。図７Ｃを参照すると、圧縮ステージ（３３５）は、継ぎ合わせドラム（３６４Ｒ）を出た直後に位置することができ、圧縮ステージ（３３５）は、２つの押圧部材（３８０）と係合する１つのアンビルロール（３６８）を備えることができる。継ぎ合わせドラム（３６４Ｒ）から独立し且つ更に２つ以上の圧縮部位を有する圧縮ステージ（３３５）を設けることによって、図７Ｂ及び７Ｃの複数の圧縮部位は、異なるキャリパー又は不織布の層を有することができるアセンブリの異なる部分に押圧し、及び／又は一部の部分に複数回押圧するように構成されることができる。これはまた、継ぎ合わせドラム（３６４Ｒ）を製造する必要なく、アンビルロール（３６８）及び押圧部材（３８０）のうちの１つ以上を変更することによって、様々な種類の基材及び様々なサイズから作製されたアセンブリを継ぎ合わせることができる点でも有利である。アンビルロール（３６８）の外周面及び押圧部材（３８０）の突出部（４２２）は、外周面と係合するために、様々な結合圧力を提供するための構成を有してもよい。
【００６９】
全物品力測定法
ＭＴＳ  Ｃｒｉｔｅｒｉｏｎ  Ｃ４２  ｒｕｎｎｉｎｇ  ＴｅｓｔＷｏｒｋｓ４  Ｓｏｆｔｗａｒｅ（ＭＴＳ  ＳＹＳＴＥＭＳ（中国）ＣＯ．，ＬＴＤから入手可能）、又は同等の機器などのコンピュータインターフェースを備えた、電気式引張試験機を使用して、力を測定する。試験される試料に対する力が、使用するロードセルの能力の１０〜９０％になるように、ロードセルを選択する。メーカーの指示書に従って機器を較正する。全ての試験は、２３±２℃、相対湿度５０±５％に維持された室内で実施される。
【００７０】
引張試験機に、図８に示されるようなハンガー型の試料保持固定具（３００）を装着する。各固定具は、試験中に試料が滑るのを防ぐために、剛性で直線状のゴムでコーティングされた水平バー部分（３０２）を備える。水平バー部分のバーの外径（ゴムコーティングを含む）は、１０．０ｍｍである。水平バー部分（３０２）の中央軸線は、全試験過程を通して平行で同一垂直面内に保たれるように構成されている。標点周囲長は、次式によって決定される。
標点周囲長＝２×（Ｈ＋Ｄ＋πＤ／２）
式中、Ｈは水平バー部分（３０２）間の垂直方向の隙間であり、Ｄはバーの外径である。
【００７１】
機器は、以下の工程をこなすように設定される。
【００７２】
【表１】
0006855625.tif 000002
【００７３】
バーが物品の腰部開口部及び一方の脚部開口部を通過するように、物品（２０）の試料を上側の水平バー部分（３０２）上に挿入する。試験体が下側のバーの上方でぶら下がり、下側のバー（３０２）に触れなくなるまで、クロスヘッドを持ち上げる。ロードセルの風袋を差し引き、物品を伸張させずに下側のバー（３０２）を腰部開口部及び他方の脚部開口部に挿通させることができるように、クロスヘッドを下降させる。物品を調節して、物品の長手方向中心線Ｌ１が上側及び下側のバー（３０２）の真ん中で水平面内にあるようにする。バー（３０２）と接触している側部部分の中心が、機器のロードセルと同じ垂直軸線上に位置するようにする。物品を必要に応じて手で適所に保持しつつ、不要な力が加わらないように留意しながら、力が０．０５〜０．１Ｎになるまでクロスヘッドをゆっくり持ち上げる。この時点での標点周囲長が初期標点周囲長である。試験を開始し、１９．６Ｎの力が得られるまでクロスヘッドを２５４ｍｍ／分で上方に移動させ、次に、同じ速度でクロスヘッドをすぐに初期標点周囲長に戻す。１９．６Ｎでの最大周長、及び試験のセグメントに負荷をかけた間及び負荷をかけない間の最大周長の７０％における力を記録する。
【００７４】
１９．６Ｎでの最大周長が全伸張時周長（ｍｍ）として定義される。全伸張時周長（ｍｍ）×０．７は、７０％伸張時周長として定義される。腰部周囲力は、試験の負荷（延長）セグメント中に７０％伸張時周長になったときの力として定義される。５つの試料を分析し、それらの平均を計算し、それぞれ、０．０１Ｎ単位で報告する。
【００７５】
ベルトゾーン引張応力測定法
引張応力（Ｎ／ｍ）を、張力（Ｎ）を試験片の幅（ｍ）で割ることによって計算する。ＴｅｓｔＷｏｒｋｓ４Ｓｏｆｔｗａｒｅ（ＭＴＳ  ＳＹＳＴＥＭＳ（ＣＨＩＮＡ）ＣＯ．，ＬＴＤ）から入手可能）を実行するＭＴＳ  Ｃｒｉｔｅｒｉｏｎ  Ｃ４２などの、コンピュータインターフェースを備えた電子引張試験機、又は同等の機器を使用して、力を測定してよい。試験される試料に対して得られる力が、ロードセルの能力の１０％から９０％になるように、ロードセルを選択する。メーカーの指示書に従って機器を較正する。全ての試験は、２３±２℃、相対湿度５０±５％に維持された室内で実施される。機器は、少なくとも試験体と同じ幅を有する単線接触型グリップを装備している。
【００７６】
試験体を得るため、試料物品をサイドシーム（３２）に沿って切り開き、それらの間の結合を分離させることによって前側及び後側弾性ベルト部分（４０）を吸収性本体（３８）から取り外し、更に腰部ガード部分ＷＧＰをそれが取り付けられるベルトから分離する。ベルト部分にしわを作らないように留意して、コールドスプレーを使用してもよい。いずれのベルト弾性部材（９６Ｆ、９６Ｓ）にもスプレーをかけないように留意する。いずれの弾性部材（９６Ｆ、９６Ｓ）も切断しないように留意して、本発明に従って、得られた弾性ベルト試料を、ゾーン（１０２、１０３、１０３１−ＷＧＥＰ、１０３１−ＣＰ、１０４、１０５、１０６、１０８）に切断する。試験前に、２３℃±２℃、及び５０％±５％の相対湿度で２時間、試料を予め調整する。
【００７７】
機器は、以下の工程をこなすように設定される。上述したように、別個の同一の物品を使用して、物品全体力試験中に決定される初期標点周囲長から、初期標点距離を計算する。初期基準長＝０．５×初期基準周長最終基準長を、上述したように、物品全体力試験中に決定される全伸張時周長から計算する。
【００７８】
【表２】
0006855625.tif 000003
【００７９】
試験体の一端を、上側クランプに固定し、荷重の風袋を差し引く。試験体の他端を、下側クランプに固定する。試験体の各端部の約５ｍｍは、グリップの接触線の後ろにある。試験を開始して、試験体を、２５４ｍｍ／分のクロスヘッド速度で最終標点距離まで伸長させ、その後すぐに、同じ速度で元の標点距離まで戻す。試験中、試験体を物品横断方向に延伸させる。試験の荷重解除セグメント中に最終標点距離の７０％になった場合の、荷重解除力を記録する。
【００８０】
５つの物品を分析し、ゾーンのそれぞれに対して負荷解除力を記録する。平均引張力（Ｎ）は、それぞれほぼ０．０１Ｎ単位で計算される。各ゾーンに関する引張応力を、平均張力（Ｎ）を平均試験体幅（ｍ）で割ることにより計算し、０．１Ｎ／ｍ単位で報告する。
【実施例】
【００８１】
実施例１及び２
以下の表１による後側弾性ベルトの弾性プロファイリングを有するサイズ３（Ｍサイズ）の本発明のベルト型パンツ吸収性物品。各例では、腰部ガード部分ＷＧＰを備える保護ゾーンは、後側弾性ベルト上のみにＬＳの２８％から５５％で配置された。各例では、相関部分ＣＰ上の２つの弾性ストランドは、弾性カットウィンドウを有していた。各例では、前側弾性ベルト及び後側弾性ベルト上にそれぞれ配置された１８個の弾性部材が存在した。
【００８２】
比較例１
日本市場のために製造されたロット番号００５８  ２０２２５０  ０３：３５  ２０２０００２２７を有する「Ｐａｍｐｅｒｓ  Ｓａｒａｓａｒａ  Ｃａｒｅ  Ｐａｎｔ」の商品名で販売されているサイズ３（Ｍサイズ）のベルト型パンツ吸収性物品。前側弾性ベルトは、実施例１〜２と非常に類似したサイズ、構造、及び弾性プロファイリングを有していた。後側弾性ベルトのサイズは、実施例１〜２と同じサイズであるとともに、腰部ガード部分ＷＧＰを有しておらず、対応する位置において以下の表１による後側弾性ベルトの弾性プロファイリングを有する。前側弾性ベルト及び後側弾性ベルト上にそれぞれ配置された１８個の弾性部材が存在した。
【００８３】
【表３】
0006855625.tif 000004
【００８４】
実施例１及び２では、本明細書における全物品力測定法による腰部周囲力、及び本明細書におけるベルトゾーン引張応力測定法による腰部ガード弾性部分ＷＧＥＰ及び相関部分ＣＰの引張応力を測定した。結果を以下の表２に示す。
【００８５】
【表４】
0006855625.tif 000005
【００８６】
実施例１〜２並びに比較例１は、適用の容易さのための良好な伸縮性、弛みを防止するための良好なフィット性、良好な快適性及び柔軟性、並びに良好な通気性を提供する。実施例１〜２は、後側の腰部開口部からの流れやすい糞便物の漏れに対する良好な保護を提供する。実施例１〜２は、比較例１の製造と実質的に同じ速度で、及び約５％以下の材料コストの追加で製造することができる。
【００８７】
漏れの発生
体重６〜１１ｋｇ及び４〜１２か月のサイズ３（Ｍサイズ）を使用して乳児の介護者であり、およそ等しい数の男性及び女性を有し、同様の価格範囲の主なブランドの使用経験の混合物を有する１００人のパネリストを募集した。募集時に、パネリストのそれぞれに、乳児が低粘度の糞便物を経験したかどうかを確認するように求めた。（１００人のパネリストの全てが回答したわけではない。）各パネリストに、５つの試験試料を５日間それぞれ様々なシーケンスで使用するように求め、各試験試料を試験するのに十分な試料を提供した。５つの試験試料のうち、実施例１、実施例２、及び比較例１であった。パネリストに、糞便物を含有した試料の数、及び後側腰部からの糞便物の漏れの発生回数を報告するように求めた。糞便物を含有した試料の数に基づく後側腰部からの糞便物の漏れの割合を表３に示す。
【００８８】
【表５】
0006855625.tif 000006
【００８９】
実施例１及び２は、比較例１と比較して、９５％信頼度レベルで、統計的に有意に少ない割合の漏れを提供した。
【００９０】
消費者の受け止め
「漏れ発声」について上述したのと同じ試験後、各パネリストにアンケートを記入するように求めた。アンケートでは、表４に見られるように７つを超える値があり、各パネリストに、以下のようなスコアの５つの評価を用いてそれらの値に対して試験試料を格付けするように要求した：「不十分」＝０、「十分」＝２５、「良」＝５０、「非常に良」＝７５、及び「優」＝１００。スコアを平均し、以下の表４に提供した。（パネリストの全てが回答を提供したわけではないため、「基本サイズ」は変化する。）
【００９１】
【表６】
0006855625.tif 000007
（＊２）スコア後の実施例番号のマーキングは、９５％信頼度レベルでマークされた実施例に対して「統計的に有意に良好」を示している。例えば、実施例１の「全体的な使用後」の評点は、比較例１（ＣＥ１）よりも統計的に有意に良好であった。
【００９２】
この試験によれば、本発明の要件を満たす実施例１及び２は、比較例１よりも「糞便物漏れ防止」において統計的に有意に高い許容度を有している。実施例１及び２はまた、「全体的な使用後」、「全体的な柔軟性」、「全体的なフィット性」、及び「通気性」の値について比較例１と比較して改善を提供するとともに、「乳児にとっての快適性」及び「弛みなし」の値においてほぼ同じ許容度を有した。
【００９３】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【００９４】
相互参照される文書又は関連特許若しくは出願を含めた、本明細書に引用される全ての文書は、明示的に除外されるか又は特に限定されない限り、参照することによりその全体が本明細書に組み込まれる。いかなる文献の引用も、本明細書中で開示又は特許請求される任意の発明に対する先行技術であるとはみなされず、あるいはそれを単独で又は他の任意の参考文献（単数又は複数）と組み合わせたときに、このような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【００９５】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【要約】      （修正有）【課題】良好な伸縮性、弛みを防止するための良好なフィット性、良好な快適性及び柔軟性、並びに良好な通気性を維持しながら、腰部開口部からの低粘度の身体排泄物の漏れを防止するための保護手段を備えた吸収性物品を提供する。【解決手段】前側弾性ベルト及び／又は後側弾性ベルト上に腰部ガード部分を有するパンツ型吸収性物品であって、腰部ガード部分が、シーム長の割合に対して遠位縁部から近位縁部までの位置を考慮して特定の位置を有し、腰部ガード部分が、約４０ｍｍ以下の長手方向寸法を有する腰部ガード弾性部分を備え、腰部ガード弾性部分と重なる弾性ベルトの残部が、相関部分で画定され、腰部ガード弾性部分の引張応力が、相関部分の引張応力よりも高い、吸収性物品。【選択図】図２Ｃ【図１】
0006855625.tif 000008
【図２Ａ】
0006855625.tif 000009
【図２Ｂ】
0006855625.tif 000010
【図２Ｃ】
0006855625.tif 000011
【図３Ａ】
0006855625.tif 000012
【図３Ｂ】
0006855625.tif 000013
【図３Ｃ】
0006855625.tif 000014
【図３Ｄ】
0006855625.tif 000015
【図４】
0006855625.tif 000016
【図５】
0006855625.tif 000017
【図６】
0006855625.tif 000018
【図７Ａ】
0006855625.tif 000019
【図７Ｂ】
0006855625.tif 000020
【図７Ｃ】
0006855625.tif 000021
【図８】
0006855625.tif 000022